(57)【特許請求の範囲】
【請求項１】
全体形状がほぼ凹状に形成された底部にバスバーの長手方向と直交する側をその凹状の開口部側から挿入して収納する収納部を有する凹状体と、
前記凹状体の開口部の両端部からその凹状体の底部と平行し、かつその開口部と反対方向に伸びるとともに、フレームへの取付孔をそれぞれ有する一対の耳片と、
前記一対の耳片の一方の耳片の端部に屈曲自在な接続部を介して接続され、かつその接続部を介して屈曲させたときに、前記凹状体の凹状に嵌合される凸状、及びそれら一対の耳片にそれぞれ設けられた取付孔に対応した取付孔を有する凸状体と、
からなることを特徴とするバスバー固定具。
【請求項２】
前記一対の耳片とそれら耳片に対応する前記凸状体の部分には、位置決め用凹凸部を設けたことを特徴とする請求項１記載のバスバー固定具。
【発明の詳細な説明】
【０００１】
【発明の属する技術分野】
本発明は、ＬＥＤ表示器等の処理機に用いられるバスバーを処理機のフレームに固定するためのバスバー固定具に関する。
【０００２】
【従来の技術】
従来、例えば、駅構内に設けられる列車案内、あるいは路上における交通情報の案内板等で使用されるＬＥＤ表示器の電源供給用のバスバー固定具は、ツーピースから構成されている。
【０００３】
すなわち、従来のバスバー固定具は、全体形状がほぼ凹状に形成され、その凹状の底部にバスバーの長手方向と直交する側をその凹状の開口部側から挿入して収納する収納部を有する凹状体と、その凹状体の凹状に嵌合される凸状体とから構成されている。
【０００４】
これら凹状体と凸状体とを用いてバスバーをＬＥＤ表示器等の処理機のフレームに固定するには、先ず、凹状体の収納部にバスバーを挿入し、その後、その凹状体の凹状に凸状体を挿入し、次いで、凹状体の開口部側をフレームに当接するとともに、その開口部の端部に設けられている耳片の取付孔を利用してビス止めされている。
【０００５】
【発明が解決しようとする課題】
しかしながら、上記従来のバスバー固定具は、ツーピースから構成されているため、凹状体から凸状体が脱落をしないように押さえながらビス止めをしなければならず、作業効率が悪いという欠点があった。
【０００６】
特に、ＬＥＤ表示器のように、ＬＥＤ素子数が多くなれば、その分だけバスバー数も増加するため、作業効率の優れたバスバー固定具の出現が待たれていた。
【０００７】
そこで、本発明は、上記要望に応えるためになされたものであって、その目的は、取付作業の容易なバスバー固定具を提供することにある。
【０００８】
【課題を解決するための手段】
本発明に係るバスバー固定具は、上記目的を達成するために、全体形状がほぼ凹状に形成された底部にバスバーの長手方向と直交する側をその凹状の開口部側から挿入して収納する収納部を有する凹状体と、その凹状体の開口部の両端部からその凹状体の底部と平行し、かつその開口部と反対方向に伸びるとともに、フレームへの取付孔をそれぞれ有する一対の耳片と、それら一対の耳片の一方の耳片の端部に屈曲自在な接続部を介して接続され、かつその接続部を介して屈曲させたときに、前記凹状体の凹状に嵌合される凸状、及びそれら一対の耳片にそれぞれ設けられた取付孔に対応した取付孔を有する凸状体と、からなることを特徴としている。
また、前記一対の耳片とそれら耳片に対応する前記凸状体の部分には、位置決め用凹凸部を設けたことを特徴としている。
【０００９】
【発明の実施の形態】
以下、本発明の実施の形態を図面に基づいて説明する。図１は、一実施の形態に係るバスバー固定具（以下、「固定具」という）ａを用いてバスバーＢをフレームＦに取付けた状態の正面図であり、図２は、図１の矢印イ方向から見た拡大側面図である。
【００１０】
図１に示されるバスバーＢは、ＬＥＤ表示器（図示せず）に用いられた例を示していて、例えば、０Ｖ，＋５Ｖ，−５Ｖ用の３本１組の電源供給用バスバーの３組が、固定具ａに固定されている例が示されている。
【００１１】
図２に示されるように、固定具ａは、凹状体１と凸状体１０との間にバスバーＢ，Ｂ，Ｂを挾んで保持し、その状態でビス２０，２０によりフレームＦに固定されている。なお、この図２及び上記図１に示される範囲における固定具ａの状態は、上述した従来例と同一である。
【００１２】
図３は、固定具ａを展開した状態の正面図、図４は、図３の下面図である。
【００１３】
凹状体１及び凸状体１０は、電気絶縁性のプラスチックスからなっていて、一体成形により製造されたもので、凹状体１から説明すると、凹状体１の底部１ａは、ほぼバスバーＢ（図２参照）の長手方向と直交する側の長さ（幅）より少し大きく形成され、この底部に３本のバスバーの収納部２ａ〜２ｃが設けられている。なお、この収納部の数は、３本に限らず１本又は４本以上とすることもできる。
【００１４】
耳片３ａ，３ｂは、凹状体１の開口部１ｂの両端から水平に、つまり底部１ａと平行に、かつその開口部１ｂと反対方向へ所定距離伸び、凹状体１と一体的にそれぞれ設けられている。そして、各耳片３ａ，３ｂには、ビス２０，２０（図２参照）の取付孔４ａ，４ｂがそれぞれ設けられているとともに、後述する凸部が挿入される凹部５ａ，５ｂがそれぞれ設けられている。
【００１５】
凸状体１０は、一対の耳片３ａ，３ｂのうちの一方の耳片３ａの端部に設けられている薄肉部からなる接続部６を介して凹状体１と一体的に設けられている。したがって、この凸状１０は、接続部６を中心にして矢印ロに示される方向に回転することができる。
【００１６】
この凸状体１０には、接続部６を中心に凸状体１０を図３の矢印ロ方向に１８０°回転させたときに、凹状体１の開口部１ｂ側から挿入され、収納部２ａ〜２ｃに収納されたバスバーＢ，Ｂ，Ｂ（図２参照）を挾持できるように突出した凸状１１を有している。
【００１７】
さらに、この凸状体１０の両側には、すなわち、凸状体１０を接続部６を中心にして、図３の矢印ロ方向に１８０°回転させたときの耳片３ａ，３ｂに当接する部分には、各耳片３ａ，３ｂにそれぞれ設けられている取付孔４ａ，４ｂに対応して取付孔１２ａ，１２ｂがそれぞれ設けられているとともに、各耳片３ａ，３ｂにそれぞれ設けられている凹部５ａ，５ｂに対応して、これら凹部５ａ，５ｂに挿入できる凸部１３ａ，１３ｂがそれぞれ設けられている。
【００１８】
したがって、凸状体１０に設けられている凸部１３ａ，１３ｂが凹状体１の凹部５ａ，５ｂにそれぞれ挿入されたときは、凹状体１と凸状体１０とが位置決めされて嵌合させられたこととなる。なお、上述の凸部１３ａ，１３ｂを凹状体１に、また、凹部５ａ，５ｂを凸状体１０に設けても同効である。
【００１９】
係合片１４は、接続部６と反対側の凸状体１０に設けられていて、接続部６を中心に凸状体１０を回転させたときに、凹状体１の他方の耳片３ｂの端部に設けられている係合部７に係合できるように構成されている。
【００２０】
図中、１０ａは、凸状１１の内部に設けられている空洞、いわゆる盗みであって、固定具ａの軽量化と材料費節減のために設けられている。なお、この空洞を中実としてもよい。
【００２１】
図５は、図３及び図４に示される固定具ａの凸状体１０を図３の矢印ロ方向に回転させたときの側面図であって、図３の右側面図に当るとともに、図２の上面図にも当っている。
【００２２】
上記構成の固定具ａを用いてバスバーＢをフレームＦに取付けるには、凸状体１０を、図３に示されるように開いた状態で収納部２ａ〜２ｃにバスバーＢを入れ、その後、凸状体１０を図３の矢印ロに示されるように閉じると、凹状体１と凸状体１０とは、凹部５ａ，５ｂ及び凸部１３ａ，１３ｂで位置決めされながら嵌合される。そして、係止片１４が係合部７に係合して凹状体１と凸状体１０とが結合される。この状態で、取付孔４ａ，１２ａ、４ｂ，１２ｂを介してビス２０でフレームＦにビス止めされて、バスバーＢの取付けが完了する（図２参照）。なお、係合部７から係止片１４を外すと、凹状体と凸状体１０との結合状態を解くことができる。また、図２中、Ｆ′は、固定具ａがフレームの裏面に取付けられたときを示している。
【００２３】
【発明の効果】
本発明に係る固定具は、全体形状がほぼ凹状に形成された底部にバスバーの長手方向と直交する側をその凹状の開口部側から挿入して収納する収納部を有する凹状体と、その凹状体の開口部の両端部からその凹状体の底部と平行し、かつその開口部と反対方向に伸びるとともに、フレームへの取付孔をそれぞれ有する一対の耳片と、それら一対の耳片の一方の耳片の端部に屈曲自在な接続部を介して接続され、かつその接続部を介して屈曲させたときに、前記凹状体の凹状に嵌合される凸状、及びそれら一対の耳片にそれぞれ設けられた取付孔に対応した取付孔を有する凸状体とからなるので、バスバーの取付けを極めて簡単に行うことができる。
また、一対の耳片とそれら耳片に対応する前記凸状体の部分には、位置決め用凹凸部を設けたときは、凹状体と凸状体との嵌合時の位置決めを容易に行うことができる。
【図面の簡単な説明】
【図１】本発明の一実施の形態に係る固定具でバスバーを取付けた状態の正面図である。
【図２】図１を矢印イ方向から見たときの拡大図である。
【図３】一実施の形態に係る固定具の凹状体と凸状体とを展開した状態の正面図である。
【図４】図３の下面図である。
【図５】図３の凸状体を閉じた状態の右側面図である。
【符号の説明】
ａ  固定具（バスバー固定具）
１  凹状体
１ａ  底部
１ｂ  開口部
２ａ〜２ｃ  収納部
３ａ，３ｂ  耳片
４ａ，４ｂ  取付孔
５ａ，５ｂ  凹部
６  接続部
７  係合部
１０  凸状体
１０ａ  空洞
１１  凸状
１２ａ，１２ｂ  取付孔
１３ａ，１３ｂ  凸部
１４  係止片
２０  ビス
【図１】
0003641323.tif 000002
【図２】
0003641323.tif 000003
【図３】
0003641323.tif 000004
【図４】
0003641323.tif 000005
【図５】
0003641323.tif 000006